(57)【要約】本発明は、ハウジング構造体に複数のモジュール、特に複数のケースを解放可能にロックするモジュールアダプタに関する。本発明によれば、複数のモジュール、特に複数のケースの操作性を改善するために、遠隔制御装置が設けられ、モジュールアダプタを備えたモジュールが移送中に迅速に且つ安全に固定され得、しかもそれより前のロック作用に関係なく本質的に把持することで遠隔制御装置によって使用することができる。【選択図】      図２１
2009500050.tif 000002
【特許請求の範囲】
【請求項１】
ハウジング構造体に複数のモジュールを解放可能にロックするモジュールアダプタであって、モジュールに又はモジュールに付属して設けられた第１アダプタ構造体と、第１レール組立体と、ハウジング構造体に又はハウジング構造体に付属して設けられた第２アダプタ構造体と、第１レール組立体のレールガイドとを有し、ロック機能のために第１レール組立体に少なくとも一つの第１係合要素を設けて成るモジュールアダプタにおいて、
第１係合要素によるロック機能を解放できる遠隔制御装置を設けた
ことを特徴とするモジュールアダプタ。
【請求項２】
遠隔制御装置が、手動で操作可能な遠隔制御装置として構成されていることを特徴とする請求項１記載のモジュールアダプタ。
【請求項３】
遠隔制御装置が、第１レール組立体に設けられ、長手方向伸張部にわたって作動できることを特徴とする請求項１又は請求項２記載のモジュールアダプタ。
【請求項４】
遠隔制御装置が、第１レール組立体に平行に配置した細長い制御レバーとして構成した作動要素を備えていることを特徴とする請求項１〜請求項３のいずれか一項記載のモジュールアダプタ。
【請求項５】
制御レバーが、モジュールアダプタのガイド装置に平行にのびる軸線のまわりで傾けることのできるように構成されることを特徴とする請求項４記載のモジュールアダプタ。
【請求項６】
制御レバーが、少なくとも一つのばね要素、特に不変的弾性をもつ発泡合成材料から成るばね要素によってロック位置の方向へ予め負荷が掛けられていることを特徴とする請求項５記載のモジュールアダプタ。
【請求項７】
第１レール組立体が、モジュールの相対する側部に設けることのできる又は設けられた第１、第２ロック可能なガイドレールを備えていることを特徴とする請求項１〜請求項６のいずれか一項記載のモジュールアダプタ。
【請求項８】
第１レール組立体が、第２アダプタ構造体における相応した受け部材に嵌合するように構成した少なくとも一つの第１ガイドレールを備えていることを特徴とする請求項１〜請求項７のいずれか一項記載のモジュールアダプタ。
【請求項９】
第１係合要素が、少なくとも一つの第１戻り止めラグを備え、第２係合要素に戻り止めラグ受け部材又は戻り止めラグ止め部材が設けられていることを特徴とする請求項１〜請求項８のいずれか一項記載のモジュールアダプタ。
【請求項１０】
戻り止め受け部材に、少なくとも一つの第１戻り止めラグ部材に対するラッチガイドとして少なくとも一つの第１楔型面が形成されていることを特徴とする請求項９記載のモジュールアダプタ。
【請求項１１】
戻り止めラグ受け部材に、挿入方向において第１楔型面に対向して第２楔型面が設けられていることを特徴とする請求項１０記載のモジュールアダプタ。
【請求項１２】
少なくとも第１戻り止めラグ部材及び特に複数の戻り止めラグ部材が制御レバーに設けられていることを特徴とする請求項９〜請求項１１のいずれか一項記載のモジュールアダプタ。
【請求項１３】
遠隔制御装置の作動をブロックできるラッチ機構が第２アダプタ構造体に設けられることを特徴とする請求項１〜請求項１２のいずれか一項記載のモジュールアダプタ。
【請求項１４】
複数の第２アダプタ構造体のロック機構に対して継手作動要素が設けられることを特徴とする請求項１３記載のモジュールアダプタ。
【請求項１５】
第１レール組立体が、第２レール組立体によって移送されることになるモジュールに接続されることを特徴とする請求項１〜請求項１４のいずれか一項記載のモジュールアダプタ。
【請求項１６】
モジュールアダプタがコンテナーとして構成したモジュールに適応されることを特徴とする請求項１〜請求項１５のいずれか一項記載のモジュールアダプタ。
【請求項１７】
コンテナーが、ヒンジ装置によってコンテナーに取り付けられた蓋を備え、ヒンジ装置が、回動及び摺動の両方によりコンテナーのそれぞれの蓋を変移できるように第１レール組立体に連結されていることを特徴とする請求項１６記載のモジュールアダプタ。
【請求項１８】
特に請求項１〜請求項１７のいずれか一項に記載のモジュールアダプタであって、第１レール、カップリングレール及びピボットピンを有し、第１レールが変移及びピボットピンの軸線の周りでの回転の両方によってカップリングレールに対して変位できるように、第１レール及びカップリングレールが互いに適応されることを特徴とするモジュールアダプタ。
【請求項１９】
ピボットピンが第１位置に固定され、ピボットピンソケットがカップリングレールに設けられていることを特徴とする請求項１８記載のモジュールアダプタ。
【請求項２０】
ピボットピンソケットが、ピボットピン軸線を横断するカップリング・デカップリングトラックをもつことを特徴とする請求項１９記載のモジュールアダプタ。
【請求項２１】
カップリングレールに対向して、完全に引き抜くことのできる変位可能に設けた第２レールが設けられることを特徴とする請求項１８〜請求項２０のいずれか一項記載のモジュールアダプタ。
【請求項２２】
カップリングレールが、結合状態において第１レールのガイドチャンバ内に受けられる支持部を備え、第１レールが摺動によってカップリングレールに対して排他的に変位できるようにしたことを特徴とする請求項１８〜請求項２１のいずれか一項記載のモジュールアダプタ。
【請求項２３】
第１、第２支持部が、カップリングレールに設けられ、上記支持部が、カップリングレールの長手方向に互いに離間され、また第１レールにもうけたノッチを介して解放できるように寸法きめされていることを特徴とする請求項２２記載のモジュールアダプタ。
【請求項２４】
回転防止ロック機構が設けられることを特徴とする請求項１８〜請求項２３のいずれか一項記載のモジュールアダプタ。
【請求項２５】
カップリングレールが、第１レールを回転に対して捩り位置に固定するために変位可能な回転防止ロック機構として構成されることを特徴とする請求項１８〜請求項２４のいずれか一項記載のモジュールアダプタ。
【請求項２６】
滑り込み端部ストッパーが設けられることを特徴とする請求項１８〜請求項２５のいずれか一項記載のモジュールアダプタ。
【請求項２７】
滑り込み端部ストッパーが、ロックピンの部分に対して当接する止め部材を成していることを特徴とする請求項２６記載のモジュールアダプタ。
【請求項２８】
引き抜き端部ストッパーが設けられることを特徴とする請求項１８〜請求項２７のいずれか一項記載のモジュールアダプタ。
【請求項２９】
引き抜き端部ストッパーが、回転防止機構のピンと相互に作用する止め部材を成していることを特徴とする請求項２８記載のモジュールアダプタ。
【請求項３０】
少なくとも一つの第１移送ロック機構が設けられることを特徴とする請求項１８〜請求項２９のいずれか一項記載のモジュールアダプタ。
【請求項３１】
開放による打ち勝つべき機械的抵抗が変位よる打ち勝つべき機械的抵抗以下であるように調整されることを特徴とする請求項１７〜請求項３０のいずれか一項記載のモジュールアダプタ。
【請求項３２】
往復動的に整列した接触面として構成したシール面がコンテナーおよび蓋に設けられていることを特徴とする請求項１７〜請求項３１のいずれか一項記載のモジュールアダプタ。
【請求項３３】
第２ガイド装置が、横から見てコンテナー及び蓋の接触面に重ね合わせていることを特徴とする請求項３２記載のモジュールアダプタ。
【請求項３４】
モジュールが、下方シェル及び蓋を備えたケースとして構成されていることを特徴とする請求項１〜請求項３３のいずれか一項記載のモジュールアダプタ。
【請求項３５】
ハウジング構造体に対する案内及び解放可能なロック用のアダプタ構造体を備えたケースにおいて、
ハウジング構造体に対するケースのロックを解放可能にする遠隔制御装置が設けられることを特徴とするケース。
【請求項３６】
請求項１〜請求項３４のいずれか一項に記載のモジュールアダプタが設けられることを特徴とする請求項３５に記載のケース。
【発明の詳細な説明】
【技術分野】
【０００１】
本発明は、モジュールアダプタに関するものである。
【背景技術】
【０００２】
現在の産業界や、レジャー施設においては、しばしば、特殊な作業機器、工具、装置及び備品を種々の異なった場所に分けて保管しておく必要がある。このことは、特に、常時、携帯できる道具箱や救急箱に保管される道具や医療機器に当てはまる。加えて、備品はまた、今日ではレジャー期間中に比較的頻繁に用いられており、屋内であるか又は屋外であるかにより使用者の家又はその他のいろいろな場所において、単に代表的な例としてデジタルデータ媒体、関連した再生装置及びコンピュータの収集が挙げられる。工業技術、薬剤及びレジャー活動の分野の他に、科学的分野においても言及でき、そのために殆どのさまざまな場所において利用できる感応装置を設ける大きな必要性がある。かかる医療及び科学的装置はしばしばモジュールの形態で利用できるようにされている。
【０００３】
ロック可能なコンテナーはしばしば上記で挙げた品物、特に作業機器、備品及びモジュールを移送するのに用いられ、上記コンテナーは移送中の安全な保管を保証している。コンテナーの壁は損傷に対して高程度の保護をもたすが、それでも、移送中の保管状態が完全でないため、コンテナー自体が移送中に起る衝撃によって生じる強い加速力を受けるので、しばしば損傷が生じ、内容物の損傷に繋がっている。
【０００４】
別の問題点は、コンテナーが通常の保管場所に保管される場合にかかるコンテナーの内容物に比較的アクセスし難い点にある。というのは、一般に、コンテナーが上方からアクセスできる状態にある時、即ち例えば棚から引き出される時にコンテナーを開くことができるだけであるからである。
【０００５】
引き出しキャビネットは特許文献１によって公知であり、このキャビネットの引き出しは開放モジュールと呼ばれている。引き出しが開放構造であるのために、このような引き出しは別個に使用することができない。この引き出しキャビネットの別の欠点は、引き出しを取外す操作が難しい点である。
【特許文献１】ＷＯ  ０９／３２０１４号公報
【発明の開示】
【発明が解決しようとする課題】
【０００６】
本発明は、モジュール及び特にケースの使用の容易性を改善することを目的としている。
【課題を解決するための手段】
【０００７】
この目的は、本発明によれば、請求項１、１５、１８、３５の特徴によって解決される。
【０００８】
本発明の第１の特徴によれば、モジュールをハウジング構造体に解放可能にロックするためにモジュールアダプタに遠隔制御装置が設けられ、かかる遠隔制御装置によって第１係合要素によるロックを解放させることができる。遠隔制御装置は、モジュールアダプタを備えたモジュールを移送中確実に且つ迅速に固定することができ、しかも本質的には把持によるそれ以前の固定操作に関係なく用いることができるようにされる。
【０００９】
このようにしてできる迅速なアクセスの容易さは、モジュールを使用する際だけでなく、モジュールの保管及び移送においても有利である。即ち迅速なアクセスはまた保管及び移送目的のロックの受け入れを高める。解放操作の複雑な従来のロック装置の場合には、例えば緊急車両における医療機器に対する迅速なアクセスの必要性又は要求はそれらの使用では普通ではないが、本発明によるモジュールアダプタは使用を助け、その結果保管及び移送の安全性を高めることになる。
【００１０】
本発明によるモジュールアダプタの好ましい実施形態によれば、遠隔制御装置は、機械的な手動で操作可能な遠隔制御装置として構成される。従って、その使用は外部動力源、特に電力又は流体力供給源を必要とせず、従って遠隔制御装置の操作可能性は常時保証される。
【００１１】
遠隔制御装置が、モジュールアダプタの第１レール組立体に設けられ、長手方向伸張部にわたって作動できることによって、使用者にとって高い便利さが得られることになる。この構成によって、ロック状態にあるものを解錠する必要がある際に、遠隔制御装置を捜し出す必要がない。解錠操作は大きな領域にわたって実現でき、これによりモジュールアダプタを直感的に容易に使用できる。これは特に、遠隔制御装置が、第１レール組立体に平行に配置した細長い制御レバーとして構成した作動要素を備えている場合に当てはまる。
【００１２】
本発明の特に好ましい実施形態によれば、制御レバーは、モジュールアダプタのガイド装置に平行にのびる軸線のまわりで傾けることのできるように構成される。かかる実施形態により遠隔制御装置を、複雑な機構を必要とせずに非常に大きな領域にわたって確実に機能させることができる。
【００１３】
移送及び保管中のロック機能に関して、制御レバーは、少なくとも一つのばね要素、特に不変的弾性をもつ発泡合成材料から成るばね要素によってロック位置の方向へ予め負荷が掛けられているのが有利である。本発明による好ましいキャッチ要素とクランピング要素との両方によって達成できるこの形式の予負荷掛けによって、ロック機能は自動的に保証でき、それにより不注意の解錠による安全でない保管や安全でない移送の危険を防ぐことができる。
【００１４】
発泡合成材料から成るばね要素によって、有利にはそのばね要素は経済的に製造することができるだけでなく、かかるばね要素の機能は細長くのびた領域にわたってのばすこともでき、これにより特に等しく一様な作用を及ぼす細長い制御レバーで用いるのに適するようできる。
【００１５】
さらに好ましい実施形態によれば、第１レール組立体は、モジュールの相対する側部に設けられた第１、第２ロック可能なガイドレールを備えている。特にモジュールにおいて対称的に実現したこの形式の実施形態は、突出した取付け及び従ってそれに伴う屈曲曲げ力を防止する。この構成は、車両で移送されることになるモジュールにさまざまな加速度が作用し得るので、車両にモジュールアダプタを用いる際に特に有利である。
【００１６】
原理的には、本発明のモジュールアダプタを単にロック装置として実施することが可能である。しかし、モジュールアダプタはモジュールをガイドするのに用いるのが好ましく、本発明の好ましい実施形態によれば、第１レール組立体は、第２アダプタ構造体における相応した受け部材に嵌合するように構成した少なくとも一つの第１ガイドレールを備えている。この形式の実施形態では、本発明によればモジュールアダプタはコンパクトでしかも同時に特に効率的な構成となる。
【００１７】
考えられるところではロック作用のためにクランピング要素を用いることは全体として本発明の範囲内であるが、少なくとも一つの第１戻り止めラグを備えた第１係合要素を設け、第２係合要素に戻り止めラグ受け部材又は戻り止めラグ止め部材を設けるのが好ましい。これにより正確なモジュールの位置決めが保証される。
【００１８】
ロック係合要素を用いる際に使用者の便利さを高めるために、さらに好ましい実施形態によれば、戻り止め受け部材に、少なくとも一つの第１戻り止めラグ部材に対するラッチガイドとして少なくとも一つの第１楔型面が形成される。この第１楔型面は、モジュールを単に押し込むことによりモジュールを便利固定することができる。
【００１９】
一つ以上の挿入位置、特に複数の挿入位置又は異なった方向からの挿入を意図する場合には、挿入方向において第１楔型面に対向して第２楔型面に戻り止めラグ受け部材を設けるのが有利である。
【００２０】
特に製造において経済的でありしかも使用において信頼できる実施形態は、少なくとも第１戻り止めラグ部材及び特に複数の戻り止めラグ部材が制御レバーに設けられる際に実現され、本発明のモジュールアダプタをこの形式の構成とするのに、単に少数の構成要素を必要とするだけである。
【００２１】
ロック機能の意図しない解錠又は許可されていないアクセスに対してモジュールを保証するために、別の好ましい実施形態では、遠隔制御装置の作動をブロックできる特にロック可能なラッチ機構が第２アダプタ構造体に設けられる。かかるラッチ機構により、ロック機構の意図しない解錠は  困難となり、そして遠隔制御装置をロック機構から離して、即ち第１アダプタ構造体に設ける場合に特に高い安全性でかかる解錠をできなくなる。一つの継手作動要素が複数の第２アダプタ構造体のラッチ機構に対して設けられる場合には、本質的に、中央ロック機構が得られる。
【００２２】
独立して保護を請求している本発明の別の特徴によれば、モジュールアダプタの第１レール組立体が、第２レール組立体によって移送されることになるモジュールに接続される。これによりモジュールは例えば引き出すことができ、従ってモジュールを必要な時に固定位置において使用できる。
【００２３】
特に異なった応用では、モジュールアダプタがコンテナーとして構成したモジュールに適応される際の結果を使用する。このような構成では、モジュールが備えるべき機能及び内容物に関して十分な自由裁量を使用者に与える。
【００２４】
考えられる使用に関する限り実質的に望ましいものがない一つの実施形態は、ロック機能に関係なく、モジュールがコンテナーとして構成され、そしてヒンジ装置によってコンテナーに取り付けられた蓋を備え、ヒンジ装置が、回動及び摺動の両方によりコンテナーのそれぞれの蓋を変位できるように第１レール組立体に直接連結される場合にもたらされる。この形式の実施形態は、いわば一方ではモジュールハウジングにおける引き出し、例えば上から内容物を入れるキャビネット、棚又はテーブルのように用いることができ、また他方ではコンテナーに変更や付加を施す必要なしに、ケースとして用いることができるケースを提供する。
【００２５】
保護を独立して請求する本発明の別の特徴によれば、第１レール、カップリングレール及びピボットピンを有し、第１レールが変位及びピボットピンの軸線の周りでの回転の両方によってカップリングレールに対して変位できるように、第１レール及びカップリングレールが互いに適応されるモジュールアダプタが提供される。従ってこの形式のモジュールアダプタは、単に数個の構成要素を備えて、外して開けることと、摺動させて開けることの両方ができるモジュールを提供する。このような操作においては、第１レールはカップリングレールと共に、レールガイド及びケースの実質的な部分又は旋回継手の両方を形成する。好ましくはラップトップの部分として構成されるかかるモジュールアダプタでは、ラップトップは、機械を携帯して使用する際に例えばデスクトップの下で例えば一体位置に押し込まれ得、或いはドック機能ステーションに押し込まれ得、またキーボードをなお使用し又はラップトップを開いてそれのスクリーンを用いる。
【００２６】
上記のモジュールアダプタにおけるピボットピンは好ましくは第１レールに固定され、ピボットピンソケットはカップリングレールに設けられる。
【００２７】
さらに好ましくは、ピボットピンソケットは、ピボットピン軸線を横断するカップリング・デカップリングトラックをもつ。従って、第１レール及びカップリングレールは、複雑な操作を必要とせずに特に簡単な仕方で相互に変位され得る。
【００２８】
第１レール及びカップリングレールを備えた上記のモジュールアダプタでは、カップリングレール及び第１レールが接続を保ったままである際に部分的に引き抜きを行うことが可能である。
【００２９】
さらに好ましい実施形態では、十分な引抜が可能であり、カップリングレールに対向して、変位可能に設けた第２レールが設けられ、それにより、例えば第２レールに固定した下方コンテナーシェルを完全に引き抜くことのでき、さらに、第１レールに固定した上方コンテナーシェルの下方へ摺動させることができる。
【００３０】
別の好ましい実施形態では、モジュールアダプタは、それの摺動及び回動作用が同時に行われ得ないように構成される。これにより、例えばハウジング構造体内に保持されたコンテナーは意図しないで開かれることがなく、他方、かかるコンテナーは携帯して使用する際に単に選択的に外して開かれ又は摺動でき、全体として明瞭で制御可能な操作作用が得られる。
【００３１】
上記の機能は、第１及び第２支持部がカップリングレールに設けられる場合に特に簡単な仕方で実現でき、それによりこれらの支持部は、カップリングレールの長手方向に互いに離間され、また第１レールに設けたノッチを介して解放できるように寸法きめされる。この形式の実施形態では、第１レールはピボットピンの上方でカップリングレールとヒンジ接続するか又はピボットピンがピボットピンソケットから変位しかつ支持部の往復動整列がノッチに対して変位されるとすぐに、変位を許容する動作接続する。
【００３２】
コンテナー又はケース取り付けの形式としてモジュールアダプタを用いる際には、有利には、明確な端部位置を特定する滑り込み端部ストッパーが設けられる。特に簡単な滑り込み端部ストッパー従って経済的に製造できる滑り込み端部ストッパーは、ロックピンの部分に対して当接する止め部材を第２レール又はカップリングレールに設けることによって実現できる。
【００３３】
同様に有利には、コンテナー、ケース又はラップトップの上方及び下方部分が偶然に落ち込むのを阻止する引き抜き端部ストッパーが設けられる。かかる引き抜きロック機構はまた止め部材を成し、それによりかかる止め部材は好ましくは回転防止ロック機構のピンと相互に作用する。
【００３４】
上記のモジュールアダプタが持ち運び把持部を備えたモジュールに設けられる場合には、好ましくは、把持によってモジュールを持ち運ぶ運送者が摺動又は開放するのを確実に阻止する少なくとも第１移送ロック機構が設けられる。
【００３５】
上記のモジュールアダプタの操作は、特に開放による打ち勝つべき機械的抵抗が変位よる打ち勝つべき機械的抵抗以下であるようにされる場合に特に都合がよい。そのように場合に、上記の往復動変位及び開放接続は止まり、コンテナーをケースとして用いる際の蓋の作動は、一般に、通常望ましいように、所望であり得るいかなる変位も除外することなしに、開放によって行われる。引き出しとして固定した状態では、本発明によれば、蓋の下方で容器を引き抜くことが可能である。これは、特に幾つかのモジュールを上下に重ねて保管する場合又はキャビネット内に又はデスクトップの下側にモジュールを保管する場合に有利である。しかし、保管に、棚又はラックの形式として構成したハウジング構造体が伴う場合には、必要とする空間のそれぞれの大きさが自由に保たれるとして、最上方コンテナーは、外して開くことにより開放され得る。
【００３６】
長期永続的な密封効果を得るために、本発明の別の好ましい実施形態では、往復動的に整列した接触面として構成したシール面がコンテナー及び蓋に設けられ、それにより長いカウンタ軸受に沿った過剰な磨耗相対的摺動を防止する。
【００３７】
第２ガイド装置が、横から見てコンテナー及び蓋の接触面に重ね合わされている場合に、興味を引く外観が得られる。
【００３８】
本発明によるモジュールアダプタの利点は、特にケースとして構成したモジュールと共に使用した際に得られる。従って、ハウジング構造体に対するケースのロックを解放できる遠隔制御装置を設けることを特徴するハウジング構造体にケースを解放可能にロックするアダプタ構造体を有するケースについて保護が請求される。さらに、摺動及び回動によって開放できるケースについて及びこうして構成した得に好ましい実施形態について保護が請求される。
【００３９】
本発明のさらに有利な実施形態及び開発は従属請求項及び添付図面に関連した説明によって得られる。
【発明を実施するための最良の形態】
【００４０】
図１には、本発明のモジュールアダプタ１０の第１実施形態を示し、モジュールアダプタ１０は第１実施形態によるケース１２に設けられている。
【００４１】
ケース１２は木製の下方シェル１４及び同じ材料製の蓋１６を備えている。下方シェル１４及び蓋１６は共に立方体を画定し、それにより下方シェル１４及び蓋１６がケース１２の閉じた状態で接触する平面は、図１に示す下方シェル１４の下方端壁１８に対して傾斜しており、それにより下方シェル１４の側壁２０、２２に設けた下方シェル１４のシール面２４、２６及び蓋１６の側壁３２、３４のシール面２８、３０は接触面を形成する。
【００４２】
モジュールアダプタ１０は図１に示すように、下方シェルを蓋１６に対して変位させることができ、或いは図２に示すように蓋１６を回動させて開くことができる。このため、モジュールアダプタ１０は、第１レール組立体３６及び第２レール組立体３８を有し、それにより第２レール組立体３８は、下方シェル１４の一方の側壁２０における第１引き抜きレール４０及び下方シェル１４の他方の側壁２２における第２引き抜きレール４２を備え、各引き抜きレール４０、４２は、それぞれの側壁２０、２２にボルトで装着される玉軸受ガイド部材のために構成した金属外形である。
【００４３】
第１レール組立体３６は第１ガイドレール４４及び第２ガイドレール４６を備え、第１ガイドレール４４及び第２ガイドレール４６には、双方向矢印Ａで示すように第２レール組立体３８に対して長手方向に低摩擦で第１レール組立体３６を動かすために玉軸受が設けられ、それによりケース１２の内容物は引き抜かれた引き出しでアクセスすることができる（図１）。
【００４４】
蓋１６を開放できるようにするために、ヒンジ４８、５０が設けられ、これらヒンジ４８、５０によって蓋１６は共通の回転軸５２のまわりで、第１ガイドレール４４及び第２ガイドレール４６にそれぞれ回動可能に取り付けられる。ヒンジ４８、５０は、回転軸５２が、開閉の際のシール面２４、２６、２８、３０における磨耗を避けるためにケース１６の閉じた状態においてシール面２４、２６、２８、３０の平面から離間されるようにして配列される。蓋１６の側壁３２、３４には回動突起部５４、５６が設けられている。
【００４５】
ケースが図２に示すように従来の仕方で用いられない場合に、好ましくは図１に示し、ラック５８として構成したハウジング構造体に保管される。このラック５８は、本質的に垂直にのびる第１柱状体６０及び同様に垂直にのびる第２柱状体６２を備え、第１ガイドレール４４に対する第１受けトラック６４は第１柱状体６０に設けられ、また第２ガイドレール４６に対する第２受けトラック６６は第２柱状体６２に設けられている。第１受けトラック６６（６４の誤り）及び第２受けトラック６４（６６の誤り）はほぼ水平にのび、それにより受けトラック６４及び受けトラック６６は、ケース１２を動かなくなることなしにトラック６４、６６へ容易に押し込んだり、押し出したりできるように寸法決めされる。
【００４６】
第１レール組立体３６はラック５８に対してロックされ得、それにより別の実施形態に関連して以下に説明するように特殊な構造体が使用され得る。
【００４７】
図３に示す本発明のケース１１２の第２の好ましい実施形態は、第１実施形態と同様に、下方シェル１１４及び蓋１１６を備え、これら下方シェル１１４及び蓋１１６は回動及び摺動の両方ができるように第１実施形態のように互いに接合される。従って、第１実施形態の対応する説明が形式上参照される。
【００４８】
二つの実施形態は下方シェル１１４及び蓋１１６の外側の幾何学的形状においてのみ異なっており、シール面で画定した平面は下方シェル及び蓋に位置され、二つの側部において第１レール組立体１３６でカバーされていることが強調されるべきである。
【００４９】
第２実施形態によるケース１１２と共に用いられるモジュールアダプタは第１実施形態に関して説明した機能を備えているが、このモジュールアダプタは主として、ケース１１２をラック１５８に解放可能にロックする機能を独立してもち、図４には簡潔にするため第１柱状体１６０のみを示す。この目的で、第１レール組立体２は、ケース１１２（モジュール）の中央平面に配列されて  設けた第１、第２鏡面対称ガイドレール１４４、１４６を備えており、以下簡潔にするために第１ガイドレール１４４のみについて説明する。第２ガイドレール１４６の詳細は相似である。
【００５０】
第１ガイドレール１４４及び第２ガイドレール１４６は第１アダプタ構造体１７０を形成し、この第１アダプタ構造体１７０はレールガイド部材１７２と共動し、それの第１レールガイド要素１７４のみを図４に示す。第１レールガイド要素１７４に相応した第２レールガイド要素はラックの図示していない第２柱状体に設けられる。レールガイド部材１７２は第２アダプタ構造体１７６を構成している。
【００５１】
図４に示すように、レールガイド要素１７４はＵ字形ガイドトラック１７８を備え、ケース１１４をラック１５８に挿入する際に、ブロック状摺動プロファイル部１８０を下方に備えた組み合さったガイドレール１４４がこのＵ字形ガイドトラック１７８内を摺動する。この挿入に関しての詳細の全てを理解するために、本発明の別の実施形態におけるかかる状況を示している図６を参照して説明する。
【００５２】
ロックするために、第１レール組立体１３６、レールガイド部材１７２にそれぞれ第１、第２往復動的に方向決めした係合要素が設けられ、第１、第２、第３戻り止めラグ部材１８２、１８４、１８６は第１レール組立体に第１係合要素として設けられ、レールガイド部材１７２に設けた戻り止めラグ受け部材１８８に交互に係合できる。
【００５３】
第１、第２、第３戻り止めラグ部材１８２、１８４、１８６は、材料の一様な条片に単にノッチを形成することによって細長い制御レバー１９０に設けられ、制御レバー１９０は、全体として図３に双方向矢印Ｃで示すように傾斜できるように取り付けられ、その長手方向伸張部に沿った任意の部位で把持され操作され得る。従って、制御レバーは三つの戻り止めラグ部材１８２、１８４、１８６の各々に対する遠隔制御装置１９２であり、この遠隔制御装置によって戻り止めラグ部材１８２、１８４、１８６は戻り止めラグ受け部材１８８から揺動でき、第１ガイドレール１４４及び必要に応じて第２ガイドレール１４６はそれぞれのレールガイド部材１７２に対して自由に変位できるようになる。
【００５４】
ケース１１２をラック１５８に押し込む際に自動的に確実に係合させるために、制御レバー１９０はばね要素（図示していない）によって閉じる方向に予め負荷が掛けられている。第２実施形態で設けたばね要素は本質的に第３実施形態のものに相応し、上記実施形態及び特に図６を参照できる。
【００５５】
適位置への係合を容易にするために、さらに、第１、第２の傾斜した楔形面１９４、１９６がそれぞれのレールガイド要素にそれぞれ設けられ、ケース１１２がラック内に押し込まれる時に、それぞれの戻り止めラグ部材１８２、１８４、１８６の係合が制御レバー１９０の作動で抑制されない場合に戻り止めラグ受け部材１８８がかかる係合を許すまで、これらの戻り止めラグ部材１８２、１８４、１８６の一つが最初にばね張力に抗して引き込む効果を持ち、戻り止めラグ受け部材１８０（１８８の誤り）に他の戻り止めラグ部材１８２、１８４、１８６の一つを係合させる。傾斜した楔形面はそれぞれ好ましくは、接触接線が挿入中の傾斜を変えるので、凸面形状である。
【００５６】
図５〜図９には、本発明のモジュールアダプタの好ましい第３実施形態を本発明のケース２１２の第３実施形態と共に示し、図５には、本発明の上記ケース２１２を異なる使用状態において異なる装飾品を付けて示している。
【００５７】
図５に示すケース２１２に共通して、これらのケース２１２は、相応したモジュールアダプタと相互に作用する第１、第２実施形態の上記機能を備えている。従って、第３実施形態の説明において、第１／第２実施形態の要素に対応した個々の要素に対して対応した参照番号が用いるが、これらの参照番号には第１／第２実施形態に対して２００か又は１００を加えている。従って説明の対応した部分が参照される。
【００５８】
図５に示すケースに共通して、それらの下方シェル２１４及びそれらの蓋は炭素繊維を挟んだ材料から成り、それの芯は蜂の巣又は波形構造体である。従ってケース２１２は特に軽量であるにもかかわらず、非常に丈夫である。
【００５９】
またこれらケースに共通して、それらの第１、第２レール組立体はアルミニウムプロファイルであり、第１実施形態の場合のように玉軸受に代えて、プラスチック摺動構成要素２４５が用いられる。このプラスチック摺動構成要素２４５はほぼＩ字形態に構成され、図６に水平に示され、第１引き抜きレール２４０及び第１ガイドレール２４４の両方によってバンド部２４７、２４９で把持される。
【００６０】
図７ｂには、断面がほぼ円形の軸受溝２５１は第１ガイドレール１４４に形成され、軸受溝２５１内に押し込みできる制御レバー２９０に相対して設けられた軸受条片２９３を受けるように機能し、それにより制御レバー２９０は図６に双方向矢印Ｃで示すように相応して回転できる。制御レバー１９０が作動領域２５５の長手方向伸張部に沿った任意の部位で、作動領域２５５に圧力を加えることにより作動されると、図６に示すばね要素２５７は圧縮され、戻り止めラグ部材２８２は戻り止めラグ受け部材２８８から出て回動し、それにより第１ガイドレール２４４はレールガイド要素２７４に対して変位できるようになる。
【００６１】
第１引き抜きレール２４０、プラスチック摺動構成要素２４４、及び制御レバーとばね要素２５７を備えた第１ガイドレールは、ケース２４０に固定される組立体を形成し、そしてそのケースに留まる。
【００６２】
これに対して、レールガイド要素２７４は、例えば受け構造体の関連した柱状体２６０において、第２アダプタ構造体２７６の一部に留まる。
【００６３】
図８に三つの図で示すレールガイド要素２７４は、動作に遊びが必要である制御レバー２９０を固定するために、矢印Ｄの方向にＵ字形部分に対して戻り止めラグ受け部を変位させる中央ロックに接合され得る。
【００６４】
本発明のモジュールアダプタ４００の図１０〜図２０に示す好ましい第４実施形態によって、図１０及び図１１に示すように、回動（図１０）によってか又は摺動（図１１）によって第２レール４０２に固定されたコンテナー（図示していない）の下方シェルすなわちケースに対して第１レール４０１に固定されたコンテナー（図示していない）の上方シェルすなわち蓋を変位させることができる。この目的で、第１レール４０１及び第２レール４０２とは別に、上記モジュールアダプタ４００はカップリングレール４０４を備え、開放及び／又は摺動機能は、カップリングレール４０４が直接下方シェルに対して固定される場合（図２３〜図２９参照）に、第１レール４０１及びカップリングレール４０４によって実現できる。しかし、第２レール４０２によって、いわゆる完全な引き抜きを実現できる。
【００６５】
第１レール４０１及び第２レール４０２は本質的にスロット付きボックスの形態として構成され、それにより、第１レール４０１は第１ガイドチャンバ４０６を備え、第２レールは第２ガイドチャンバ４０８を備えているガイドチャンバ４０６、４０８は、カップリングレール４０４がレールの長手方向に変位できるように、支持部４１０、４１２、４１４に受けられ得るように寸法きめされる。
【００６６】
支持部４１０、４１２、４１４はカップリングレール４０４に形成される。第１支持部４１０及び第２支持部４１２はカップリングレール４０４の上方領域に位置決めされ、また第３支持部４１４はカップリングレール４０４の下方領域に位置決めされている。支持部４１０、４１２、４１４は連続した支柱４１６に設けられ、この連続した支柱４１６の幅はｘであり、この幅ｘは、上記支柱が第１レールに設けた第１スロット４１８及び第２レールに設けた第２スロット４２０を通って突出できるように寸法決めされ、そして遊びをもってこれらのスロット４１８、４２０において案内される。
【００６７】
カップリングレール４０４が第１レール４０１及び第２レール４０２内に押し込まれると、第１レールの突出部分４２２、４２４はカップリングレール４０４の摺動面４２６、４２８に当接し、第１レール４０１はカップリングレール４０４を支持している。
【００６８】
相応した仕方で、第２レールの突出部分４３０、４３２、４３４はカップリングレール４０４の摺動面４３６、４３８に当接し、カップリングレール４０４は第２レール４０２を支持している。
【００６９】
モジュールアダプタ４００の変位機能は、上記の突出部分４２２、４２４、４３２、４３４及び相応した摺動面４２６、４２８、４３６、４３８によって画定される。
【００７０】
開放できるようにするために、回動軸４４２を備えた回動ピン４４０が設けられ、この回動ピンは長手方向伸長部を横断して第１レール４０１に設けられ、そして第１レールに対して固定され、ガイドチャンバ４０６を通ってのびるようにされている。この回動軸４４０はカップリングレール４０４と共動し、回動軸受４４４は、回動ピン４４０の軸４４２にほぼ垂直にのびかつカップリングレール４０４に対して長手方向にのびる結合・解放トラック４４６を備えている。
【００７１】
カップリングレール４０４に対して軸４４２のまわりで第１レール４０１を回動できるようにするために、第１レール４０１は第１ノッチ４４８及び第２ノッチ４４０（４５０の誤り）を備え、第１レール４０１の長手方向の長さは、第１支持部４１０、第２支持部４１２がそれぞれ、僅かな遊びをもって上記ノッチ４４８、４５０を介して解放され得るように寸法決めされる。
【００７２】
カップリングレール４０４が第１レール４０１に対して第１レール４０１の長手方向に押圧されると、支持部４１０、４１２は、軸４４２のまわりでのあらゆる回転運動を阻止する。
【００７３】
摺動及び開放機能に関して、図２１及び図２２に示す本発明のモジュールアダプタ５００の第５実施形態は、図１０〜図２０を参照して上記で説明してきたような第４実施形態に相応している。従って、同じ要素を示すのに図１０〜図２０の参照番号に１００を加えた参照番号を用いる。また相応した説明部分が参照される。
【００７４】
第４実施形態の場合のように、第５実施形態はまた第１レール５０１、第２レール５０２及びカップリングレール５０４を備え、第１レール５０１及び第２レール５０２は、第４実施形態の相応したレールと同様に、スロット付きボックス形態のものであり、第１レールにはノッチ（図示されていない）が設けられ、これらのノッチは相応した支持部５１０と共動する。
【００７５】
図２１及び図２２には、ハウジング構造体５５８に解放可能にロックするかかるモジュールアダプタ５００が好ましくはどのように構成されるかを示している。ハウジング構造体５５８は、図１における第１実施形態によるハウジング構造体の場合のように、ラックとして構成され得る。
【００７６】
図２２に示すように、第２アダプタ構造体５６０はハウジング構造体５５８に固定され、第２アダプタ構造体５６０は、本質的に断面がＵ字形のレールガイド部材の形式として構成される。第１レール組立体５６２は第２アダプタ構造体５６０のＵ字形部分に押し込まれ得、このレール組立体５６２は本質的にはＵ字形輪郭部５６４で形成され、Ｕ字形輪郭部５６４は第１レール５０１を包囲し、そして上記第１レール５０１に対して固定される。
【００７７】
Ｕ字形輪郭部５６４は、機械的な遠隔制御装置５７０を収容するように機能するチャンバ５６８がバンド５６６とレール５０１との間に形成されるように寸法決めされる。この遠隔制御装置５７０は本質的には制御レバーとして構成した作動要素５７２から成り、作動要素５７２には等間隔に戻り止めラグ部材５７４が設けられている。作動要素５７２は不変的な弾性をもつ発泡合成材料製のばね要素５７６によってロック位置に予め負荷が掛けられている。
【００７８】
戻り止めラグ部材５７４の一つが圧力を加えることによって作動されると、全ての戻り止めラグ部材５７４は、制御要素５７２を介しての接続のためにそれらの解放位置へ回動し、第１レール組立体は第２アダプタ構造体５６０内へ摺動できる。戻り止めラグ部材５７４が解放すると、それらの戻り止めラグ部材５７４は逆方向に回動し、それらの面５７８は、第２アダプタ構造体５６０に対応して構成した受け要素又は第２アダプタ構造体５６０の対向した面に突き当たることができる。
【００７９】
図２１及び図２２に示すモジュールアダプタ５００は、この構造が図３及び図４による実施形態の場合より図２２の双方向矢印Ｓの方向に大きな遊びをもたらすという図３及び図４に示すモジュールアダプタに勝る利点を有する。
【００８０】
図２３〜図２９に示す第６実施形態の本発明のモジュールアダプタ６００は安全な移送に関連した課題に取り組んでいる。第４、第５実施形態の場合のように、第１レール４０１、５０１、カップリングレール４０４、５０４にそれぞれ実質的に相応した第１レール６０１及びカップリングレール６０４が設けられ、特に第１ガイドチャンバ６０６が設けられ、このガイドチャンバ６０６に、支持部６１０、６１２及び付加的な支持部６１３が配列されている。ガイドチャンバ６０６と支持部６１０、６１２、６１３との相互作用に関しては、図１０〜図２０に関連した説明のそれぞれの部分が参照される。
【００８１】
第４実施形態と第５実施形態との単なる相違点は、図２３〜図２９に示すモジュールの下方シェル（側壁６０９のみが示されている）とカップリングレール６０４の直接接続が有利であるので、第１レール６０１におけるスロットが非対称構造である点にある。さらに第４実施形態と違って、支持部は互いに漸次的長さ及び漸次的距離に配列される。
【００８２】
図２９に示すように回転できるようにするために、回動ピン及び回動ピンソケットが設けられ、簡潔にするために回動ピン軸６４２だけが示されている（図２５）。第６実施形態によって相応して実現されるので、図１０〜図２０に関連した説明が参照される。
【００８３】
図２３〜図２９の実施形態に独特な点は、移送ロック機構として設けたクロージャー部材６８０に関する。このクロージャー部材６８０は、第１レール６０１におけるばね張力で予め負荷が掛けられ、長手方向に変位でき、上記第１レール６０１を包囲する摺動要素６８２を包囲しており、上記摺動要素６８２は内側部にピンソケット６８４を備え、このピンソケット６８４は、把持部のレバーに設けた保持ピンと共動する。変位作用が働く際に、摺動要素のばね張力と共に傾斜部６９０はピン６８６と自動的にロックする（図２７）。ヒンジ作用が働くと、第２傾斜部６９２は摺動要素６８２と共動してロック作用する。
【００８４】
図２８及び図２９は、摺動要素６８２を固定するために設けられたリベット６９４が同時に引き抜き端部ストッパーとして機能する仕方を示している。この操作において、支持部６１０、６１３、６１２及び傾斜部６９２には、溝６９６が設けられ、支持部６１２に設けられた溝は、引き抜き状態においてリベット６９４に対する端部止め部材として作用するように長手方向に連続していない。
【００８５】
第６実施形態によるモジュールアダプタ６００に設けられたモジュールの移送把持部が双方向矢印Ｐで示すように回動可能に装着されると、ピン６８６のロック作用は回動運動と組み合され得る。さらに、有利には、レール６０１が垂直位置に配置される際に摺動及び回動の両方を阻止する重力ロック機構が設けられる。
【００８６】
図３０及び図３１は、図２３〜図２９に示す第６実施形態によるモジュールアダプタ６００の基本の概略線図である。図３０から明らかなように、傾斜部６９０が、ピン６８６をピンソケット６８４内へ続いてロックするために、ばね６９８の力に抗してピン６８６を変位できる仕方が示されている。このラッチ位置では、下方シェルに固定されるカップリングレール６０４及び上方シェルに固定されるレール６０１は変位しないようにブロックされる。支持部及びノッチはこの位置においては重ならないので、あらゆるヒンジ開放も阻止される。
【００８７】
さらに図３０及び図３１から明らかなように、搬送把持部７０３の固定されるピン６８６を支持するレバー７０２に対する回転軸７００の構成により重力ロック機構がどのように構成されるかが示されている。すなわち、把持部で持ちそして垂直に作用する重力に抗して矢印Ｆの方向に力を作用させると、ばね６９８の作用は重力によってサポートされる。
【図面の簡単な説明】
【００８８】
【図１】特に好ましい第１実施形態によるラックに保持されたケース用の本発明のモジュールアダプタの第１の好ましい実施形態を示す概略斜視図である。
【図２】蓋をあけてラックから外した使用状態の位置に図１の本発明のケースを示す概略斜視図である。
【図３】第２実施形態による本発明のモジュールアダプタの第１アダプタ構造体を備えた本発明のケースの第２の好ましい実施形態を示す概略斜視図である。
【図４】第２実施形態による本発明のモジュールアダプタの図３に示す第１アダプタ構造体に対する第２アダプタ構造体の概略斜視図である。
【図５】第３の好ましい実施形態によるモジュールアダプタを有するさらに好ましい実施形態による本発明のケースを示す概観図である。
【図６】図５に示す第３実施形態による本発明のモジュールアダプタの断面図である。
【図７】ａ、ｂ、ｃは、図６に示す第３実施形態による本発明のモジュールアダプタの第１アダプタ構造体の細部を示す詳細図である。
【図８】図６に示す第３実施形態によるモジュールアダプタの第２アダプタ構造体の細部を示す詳細図である。
【図９】図６〜図８に示すもののケース及びモジュールアダプタ機能を示す説明図である。
【図１０】開らいた状態における本発明のモジュールアダプタの第４の好ましい実施形態を示す説明図である。
【図１１】部分的に摺動させて開らいた状態における図１０に示す本発明のモジュールアダプタの第４の好ましい実施形態を示す説明図である。
【図１２】ロックした状態における図１０及び図１１に示す本発明のモジュールアダプタの第４の好ましい実施形態を示す説明図である。
【図１３】図１０〜図１２に示すモジュールアダプタの側面図である。
【図１４】図１３に示す矢印ＸＩＶに沿った説明図である。
【図１５】図１３に示す矢印ＸＶに沿った説明図である。
【図１６】図１３に示す矢印ＸＶＩに沿った説明図である。
【図１７】図１６に示す矢印ＸＶＩＩに沿った説明図である。
【図１８】図１０〜図１７に示すモジュールアダプタのカップリングレールの側面図である。
【図１９】図１８に示す矢印ＸＶＩＶに沿った断面図である。
【図２０】図１８に示す矢印ＸＸに沿った断面図である。
【図２１】本発明のモジュールアダプタの第５の好ましい実施形態を示す部分断面斜視図である。
【図２２】第２アダプタ構造体と共動する図２１のモジュールアダプタを示す断面図である。
【図２３】本発明のモジュールアダプタの第６実施形態を示す斜め下方から見た正面図である。
【図２４】本発明のモジュールアダプタの第６実施形態を示す側面図である。
【図２５】摺動させた状態における本発明のモジュールアダプタの第６実施形態を示す下方から見た説明図である。
【図２６】摺動させた状態における本発明のモジュールアダプタの第６実施形態を示す斜め上方から見た説明図である。
【図２７】摺動させた状態における本発明のモジュールアダプタの第６実施形態を示す外観図である。
【図２８】摺動させた状態における本発明のモジュールアダプタの第６実施形態を示す説明図である。
【図２９】閉じた状態における本発明のモジュールアダプタの第６実施形態を斜め下方から見た説明図である。
【図３０】図２３〜図２９の本発明の第６実施形態によるモジュールアダプタの移送ロック機構の概略線図である。
【図３１】図２３〜図２９の本発明の第６実施形態によるモジュールアダプタの移送ロック機構の概略線図である。
【図１】
2009500050.tif 000003
【図２】
2009500050.tif 000004
【図３】
2009500050.tif 000005
【図４】
2009500050.tif 000006
【図５】
2009500050.tif 000007
【図６】
2009500050.tif 000008
【図７】
2009500050.tif 000009
【図８】
2009500050.tif 000010
【図９】
2009500050.tif 000011
【図１０】
2009500050.tif 000012
【図１１】
2009500050.tif 000013
【図１２】
2009500050.tif 000014
【図１３】
2009500050.tif 000015
【図１４】
2009500050.tif 000016
【図１５】
2009500050.tif 000017
【図１６】
2009500050.tif 000018
【図１７】
2009500050.tif 000019
【図１８】
2009500050.tif 000020
【図１９】
2009500050.tif 000021
【図２０】
2009500050.tif 000022
【図２１】
2009500050.tif 000023
【図２２】
2009500050.tif 000024
【図２３】
2009500050.tif 000025
【図２４】
2009500050.tif 000026
【図２５】
2009500050.tif 000027
【図２６】
2009500050.tif 000028
【図２７】
2009500050.tif 000029
【図２８】
2009500050.tif 000030
【図２９】
2009500050.tif 000031
【図３０】
2009500050.tif 000032
【図３１】
2009500050.tif 000033
【国際調査報告】
2009500050.tif 000034
2009500050.tif 000035
2009500050.tif 000036
2009500050.tif 000037
2009500050.tif 000038
2009500050.tif 000039